(57)【要約】      （修正有）【課題】外部からの塵や埃の侵入を効果的に防止し、取り付け、取り外しを容易に行うことができるスチールラック用ブラケット及び当該ブラケットを備えたカーテンレールを提供する。【解決手段】第１の下面部、第２の下面部、及び第１の下面部と第２の下面部に対して略垂直に形成される側面部を有するブラケット金具とブラケットカバー３から構成され、第１の下面部及び側面部とブラケットカバーの内側面により開口部が形成されており、当該開口部に磁石と滑り止め部材が配置されており、第２の下面部はカーテンレールの上面に接合されることを特徴とするブラケット１。【選択図】図４
0003173191.tif 000002
【実用新案登録請求の範囲】
【請求項１】
第１の下面部、第２の下面部、及び第１の下面部と第２の下面部に対して略垂直に形成される側面部を有するブラケット金具とブラケットカバーから構成され、第１の下面部及び側面部とブラケットカバーの内側面により開口部が形成されており、当該開口部に磁石と滑り止め部材が配置されており、第２の下面部はカーテンレールの上面に接合されることを特徴とするブラケット。
【請求項２】
ブラケットカバーの上面部の前方部が傾斜をなしていることを特徴とする請求項１に記載のブラケット。
【請求項３】
請求項１又は２に記載のブラケットがカーテンレールに接合されていることを特徴とするブラケット付カーテンレール。
【考案の詳細な説明】
【技術分野】
【０００１】
本考案は、スチールラック等用のカーテンレールに用いるブラケット及び当該ブラケットを備えたカーテンレールに関する。本考案は、特に、塵や埃などのスチールラック等への侵入を効果的に防止することができ、スチールラック等への取り付け、取り外しを容易に行うことができるスチールラック用ブラケット及び当該ブラケットを備えたカーテンレールに関する。
【背景技術】
【０００２】
従来から、工場や倉庫、事務所、ガレージなどにおいてスチールラック等が使用されている。スチールラックの棚には、商品やサンプルなどが一時的ないしは一定期間置かれるため、商品やサンプルなどが汚たり破損しないように、スチールラックの前面に塩化ビニル樹脂製フィルム等からなるカーテンが通常取り付けられている。
【０００３】
スチールラックへのカーテンの取り付けは、通常は、その開閉の容易さからカーテンレールをスチールラックに設置し、カーテンレールの溝に複数のランナーを通して、ランナーからカーテンを吊り下げることにより行われる。
【０００４】
ここで、カーテンレールをスチールラックに設置するには、レールをワンタッチ式に取り付け可能としたブラケットを用いて、ブラケットをラックの上面の側縁部付近にねじ止めすることにより行われている（例えば、特開平８−１８７１６０号公報等）。しかしながら、このような型式のカーテンレールでは、カーテンレールとスチールラックの間に隙間があるため、そこから塵や埃が侵入しやすいという問題がある。また、ブラケットの取り付け、取り外しをねじ止めで行うため作業が煩雑である。
【先行技術文献】
【特許文献】
【０００５】
【特許文献１】特開平８−１８７１６０号公報
【考案の概要】
【考案が解決しようとする課題】
【０００６】
本考案は、外部からの塵や埃の侵入を効果的に防止し、取り付け、取り外しを容易に行うことができるスチールラック等用のカーテンレールに用いるブラケット及び当該ブラケットを備えたカーテンレールを提供することを目的としている。
【課題を解決するための手段】
【０００７】
本考案によれば、上記課題は、前記実用新案登録請求の範囲に記載した手段にて達成される。即ち、本考案は、請求項１のとおり、第１の下面部、第２の下面部、及び第１の下面部と第２の下面部に対して略垂直に形成される側面部を有するブラケット金具とブラケットカバーから構成され、第１の下面部及び側面部とブラケットカバーの内側面により開口部が形成されており、当該開口部に磁石と滑り止め部材が配置されており、第２の下面部はカーテンレールの上面に接合されることを特徴とするブラケットに関わる。また、請求項２の通り、ブラケットカバーの上面部の前方部が傾斜をなしていることを特徴とする請求項１に記載のブラケット、請求項３の通り、請求項１又は２に記載のブラケットがカーテンレールに接合されていることを特徴とするブラケット付カーテンレール、も本考案に含まれる。
【考案の効果】
【０００８】
上述したように、本考案によるブラケットは、ブラケットをスチールラック等に取り付ける際に、ブラケットの後方側の下面部（７）と側面部（６）をスチールラックの上面の前方側の側縁部に接触するように取り付けるため、前記開口部に設置されている磁石によりブラケットをスチールラックに簡便にしっかりと安定した状態で取り付けることができ、また、側面部（６）がスチールラックの側縁部と接触しているため、カーテンレールとスチールラック等の間に殆ど隙間ができないことから、スチールラック等内への塵や埃の侵入を効果的に防止することができる。したがって、本考案に係るブラケットは、スチールラック等用カーテンに好適に使用することができる。
【考案を実施するための形態】
【０００９】
図１〜図７に、本考案によるスチールラック等用ブラケットの実施例を示す。図１は本考案に係るスチールラック等用ブラケットの側面図であり、図２はその断面図、図３は底面図である。図２に示すように、本考案によるスチールラック等用ブラケットは、ブラケット金具（２）とブラケットカバー（３）を主要な構成部材とする。
【００１０】
図２に示すように、ブラケット金具（２）は、第１の下面部（４）、第２の下面部（５）、第１の下面部と第２の下面部に対して略垂直に形成される側面部（６）を有する。また、図２及び図３で示されるように、第１の下面部及び側面部とブラケットカバーの内側面（即ち、側面と背面の内側面）（図示せず）により開口部（８）が形成される。開口部（８）には磁石（９）と滑り止め材（１０）が配置されている。ここで、磁石の種類は任意の磁石を使用することができ、例えば、フェライト磁石、ネオジム磁石、コバルト磁石などを使用することができる。また、滑り止め部材としては、合成ゴム、軟質樹脂などを使用することができる。
【００１１】
本考案によるブラケットは、図１及び図２に示すように、ブラケットカバー（３）を有する。当該ブラケットカバーの上面部は、その略全面がブラケット金具の第１の下面部及び第２の下面部と水平であってもよいが、図１及び図４に示すように、上面部（１１）においてその前方部（１２）が傾斜をなした形状になっている方が、ラックに取り付けたときにブラケットが大きく見えないため好ましい。
本考案においては、ブラケット金具の材質としては、磁力を強めるためのヨーク材としてスチールが使用される。また、ブラケットカバーの材質としては合成樹脂が一般に使用される。
【００１２】
本考案においては、ブラケット金具の第２の下面部（５）及び側面部（６）は、夫々ブラケットの前方側の下面部及びブラケットの側面部に対応し、開口部の下側部分はブラケットの後方側の下面部（７）に対応する。
【００１３】
図５は、本考案に係るスチールラック等用ブラケットとカーテンレールの使用状態を示す側面図である。図５のように、本考案に係るブラケットは、ブラケット金具の第２の下面部（５）がカーテンレール（１３）の上面（１４）と接合される。ここで、ブラケットとカーテンレールを接合する手段としては、種々使用することができるが、通常は、図５に示すようなネジ（１７）を用いて接合する。本考案においては、ブラケットが接合されたカーテンレールをスチールラックに取り付ける場合は、図５で示すように、ブラケットの後方側の下面部（７）と側面部（６）をスチールラックの上面の前方側の側縁部に接触することにより行う。前記開口部内に配置されている磁石によりブラケットをスチールラックに簡便に強く付けることができ、また、側面部（６）がスチールラックの側縁部とほぼ接触しているため、カーテンレールとスチールラックの間に殆ど隙間ができない。このようにして、塵や埃の侵入を効果的に防止することができる。
また、本考案においては、カーテンレールは通常使用されているものを用いることができ、例えば、アルミシルバー製のカーテンレール、鋼板、ステンレス鋼、硬質ＰＶＣなどを使用することができる。
【００１４】
図６及び図７は、夫々、本考案に係るブラケットとカーテンレールの使用状態を示す上面図及び正面図である。カーテンレールの長さは１２０〜１８０ｃｍ程度であるが、本考案に係るブラケットを用いてカーテンレールを安定した状態でスチールラックに取り付けるには、図６及び図７に示すように、カーテンレールの長さ方向にほぼ均等な間隔でブラケットを３個程度用いるのが好ましい。
本考案に係るカーテンレールにおいては、図７に示すランナー（１５）にカーテンを吊り下げてカーテンを備え付ける。
【図面の簡単な説明】
【００１５】
【図１】本考案に係るブラケットの側面図。
【図２】本考案に係るブラケットの断面図。
【図３】本考案に係るブラケットの底面図。
【図４】本考案に係るブラケットの正面図。
【図５】本考案に係るブラケットとカーテンレールの使用状態を示す断面図
【図６】本考案に係るブラケットとカーテンレールの使用状態を示す上面図
【図７】本考案に係るブラケットとカーテンレールの使用状態を示す正面図
【符号の説明】
【００１６】
１．ブラケット
２．ブラケット金具
３．ブラケットカバー
４．ブラケット金具の第１の下面部
５．ブラケット金具の第２の下面部
６．ブラケット金具の側面部
７．ブラケットの後方側の下面部
８．開口部
９．磁石
１０．滑り止め部材
１１．ブラケットカバーの上面部
１２．ブラケットカバーの上面部の前方部
１３．カーテンレール
１４．カーテンレール上面
１５．ランナー
１６．ネジ穴
１７．ネジ
１８．スチールラック
【図１】
0003173191.tif 000003
【図２】
0003173191.tif 000004
【図３】
0003173191.tif 000005
【図４】
0003173191.tif 000006
【図５】
0003173191.tif 000007
【図６】
0003173191.tif 000008
【図７】
0003173191.tif 000009